(57)【要約】【課題】  電子ペーパー付の記憶媒体において、多数の撮像画像のうちから代表画像を効率的に管理するための手段を提供する。【解決手段】  電子機器は、媒体側端子と、不揮発性メモリを含む記憶部と、画像表示が可能な電子ペーパーと、を備える記憶媒体を着脱可能である。また、電子機器は、媒体側端子と接続可能な機器側端子と、制御部と、画像処理部とを備える。制御部は、機器側端子を介して接続された記憶媒体とのデータの送受を行ない、記憶部に記憶された複数の撮像画像のうちから指定された代表画像のデータを取得する。画像処理部は、電子ペーパーに表示するための識別画像として、代表画像に対応する該識別画像を生成する。そして、制御部は、代表画像が設定されたときに、複数の撮像画像から代表画像を識別するための代表画像識別データを記憶部に記録するとともに、過去の代表画像を示す履歴データを記憶部に更新して記録する。【選択図】  図１
2010081560.tif 000002
【特許請求の範囲】
【請求項１】
媒体側端子と、
不揮発性メモリを含む記憶部と、
画像表示が可能な電子ペーパーと、を備える記憶媒体を着脱可能な電子機器であって、
前記電子機器は、
前記媒体側端子と接続可能な機器側端子と、
前記機器側端子を介して接続された前記記憶媒体とのデータの送受を行ない、前記記憶部に記憶された複数の撮像画像のうちから指定された代表画像のデータを取得する制御部と、
前記電子ペーパーに表示するための識別画像として、前記代表画像に対応する該識別画像を生成する画像処理部と、を備え、
前記制御部は、前記代表画像が設定されたときに、前記複数の撮像画像から前記代表画像を識別するための代表画像識別データを前記記憶部に記録するとともに、過去の代表画像を示す履歴データを前記記憶部に更新して記録することを特徴とする電子機器。
【請求項２】
請求項１に記載の電子機器において、
画像消去に関する操作を受け付ける操作部をさらに備え、
前記制御部は、前記記憶部から消去する画像として前記代表画像が選択されたときに、前記代表画像識別データに基づいて警告を出力することを特徴とする電子機器。
【請求項３】
請求項２に記載の電子機器において、
前記制御部は、前記代表画像のデータが前記記憶部から消去されたときに、前記撮像画像のうちから新たに代表画像を設定するとともに、前記代表画像識別データを更新することを特徴とする電子機器。
【請求項４】
請求項１に記載の電子機器において、
前記撮像画像を再生表示する表示部をさらに備え、
前記制御部は、前記代表画像が再生表示されるときに、前記代表画像識別データに基づいて代表画像を示すマークを前記表示部に重畳表示させることを特徴とする電子機器。
【請求項５】
被写体を撮像して撮像画像のデータを生成する撮像部と、
請求項１から請求項４のいずれか１項に記載の電子機器と、を備えることを特徴とする電子カメラ。
【発明の詳細な説明】
【技術分野】
【０００１】
本発明は、電子ペーパー付記憶媒体を用いる電子機器および電子カメラに関する。
【背景技術】
【０００２】
従来から、個々の記録媒体の識別を容易にするために、記憶媒体に電子ペーパーを設けるとともに、この電子ペーパーに識別用の情報を表示させる技術が提案されている。一例として、特許文献１には、電子ぺーパー付記憶媒体を用いるデジタルカメラシステムの構成例が開示されている。
【特許文献１】特開２０００−２７６１１９号公報
【発明の開示】
【発明が解決しようとする課題】
【０００３】
ところで、従来の電子ペーパー付の記憶媒体で、記憶媒体を識別するための画像として、記憶媒体に記憶されている撮像画像のなかから選択された代表画像を用いることも考えられる。この場合には、電子ペーパー付の記憶媒体とセットで運用される電子機器についても、多数の撮像画像のうちから代表画像を効率的に管理する構成が要望されている。
【０００４】
そこで、本発明の目的は、電子ペーパー付の記憶媒体において、多数の撮像画像のうちから代表画像を効率的に管理するための手段を提供することにある。
【課題を解決するための手段】
【０００５】
一の態様の電子機器は、媒体側端子と、不揮発性メモリを含む記憶部と、画像表示が可能な電子ペーパーと、を備える記憶媒体を着脱可能である。また、電子機器は、媒体側端子と接続可能な機器側端子と、制御部と、画像処理部とを備える。制御部は、機器側端子を介して接続された記憶媒体とのデータの送受を行ない、記憶部に記憶された複数の撮像画像のうちから指定された代表画像のデータを取得する。画像処理部は、電子ペーパーに表示するための識別画像として、代表画像に対応する該識別画像を生成する。そして、制御部は、代表画像が設定されたときに、複数の撮像画像から代表画像を識別するための代表画像識別データを記憶部に記録するとともに、過去の代表画像を示す履歴データを記憶部に更新して記録する。
【０００６】
上述した一の態様の電子機器は、画像消去に関する操作を受け付ける操作部をさらに備えていてもよい。そして、制御部は、記憶部から消去する画像として代表画像が選択されたときに、代表画像識別データに基づいて警告を出力してもよい。さらに、制御部は、代表画像のデータが記憶部から消去されたときに、撮像画像のうちから新たに代表画像を設定するとともに、代表画像識別データを更新してもよい。
【０００７】
上述した一の態様の電子機器は、撮像画像を再生表示する表示部をさらに備えていてもよい。そして、制御部は、代表画像が再生表示されるときに、代表画像識別データに基づいて代表画像を示すマークを表示部に重畳表示させてもよい。
【０００８】
さらに、一の態様の電子カメラは、被写体を撮像して撮像画像のデータを生成する撮像部と、上述した一の態様の電子機器とを備える。
【発明の効果】
【０００９】
本発明によれば、記憶部に記憶された代表画像識別データを用いて、多数の撮像画像のうちから代表画像を効率的に管理することができるとともに、過去に設定されていた代表画像を管理することができる。
【発明を実施するための最良の形態】
【００１０】
＜一の実施形態の構成の説明＞
図１は一の実施形態の電子カメラシステムの構成例を示すブロック図である。この電子カメラシステムは、電子カメラ１と電子ぺーパー付記憶媒体２とを有している。電子ぺーパー付記憶媒体２は、電子カメラ１に対して着脱可能に構成されている。
【００１１】
電子カメラ１は、レンズユニット１１と、第１レンズドライバ１２と、絞りドライバ１３と、シャッタドライバ１４と、第２レンズドライバ１５と、撮像素子１６と、信号処理部１７と、撮像制御部１８と、ＣＰＵ１９と、第１メモリ２０および第２メモリ２１と、表示制御部２２およびモニタ２３と、記録Ｉ／Ｆ（インターフェース）２４と、操作部２５と、閃光発光部２６とを有している。
【００１２】
ここで、第１レンズドライバ１２、絞りドライバ１３、シャッタドライバ１４、第２レンズドライバ１５、信号処理部１７、撮像制御部１８、表示制御部２２、記録Ｉ／Ｆ２４、操作部２５および閃光発光部２６は、それぞれＣＰＵ１９と接続されている。また、ＣＰＵ１９、第１メモリ２０、第２メモリ２１は、バス１９ａを介して相互に接続されている。
【００１３】
レンズユニット１１は、ズームレンズ１１ａと、フォーカシングレンズ１１ｂと、絞り１１ｃおよびシャッタ１１ｄとを内蔵している。ズームレンズ１１ａは、撮影倍率を光学的に変更するためのレンズである。このズームレンズ１１ａのレンズ位置は、第１レンズドライバ１２によって光軸方向に調整される。また、フォーカシングレンズ１１ｂは、焦点調節を行うためのレンズである。このフォーカシングレンズ１１ｂのレンズ位置は、第２レンズドライバ１５によって光軸方向に調整される。
【００１４】
また、レンズユニット１１の絞り１１ｃは、撮像素子１６に入射する単位時間当たりの光量を調節する。この絞り１１ｃの開口量は、絞りドライバ１３によって制御される。シャッタ１１ｄは、撮像素子１６への光を遮光して撮像時のシャッタスピードを調節する。このシャッタ１１ｄの動作はシャッタドライバ１４によって制御される。なお、上記の各ドライバ（１２〜１５）は、ＣＰＵ１９の指示に応じて駆動する。
【００１５】
撮像素子１６は、レンズユニット１１を通過した光束によって結像される被写体像を撮像してアナログの画像信号を生成する。この撮像素子１６の出力は信号処理部１７に接続されている。なお、一の実施形態での撮像素子１６は、静止画像の単写撮影および動画像の撮影がいずれも可能である。
【００１６】
ここで、電子カメラ１の撮影モードでは、撮像素子１６は後述のレリーズ釦の全押し操作に応答して記録用の静止画像や記録用の動画像を撮像する。また、撮影モードでの撮像素子１６は、撮影待機時にも所定間隔毎に観測用の画像（スルー画像）を連続的に撮像する。ここで、時系列に取得されたスルー画像のデータは、モニタ２３での動画表示やＣＰＵ１９による各種の演算処理に使用される。
【００１７】
信号処理部１７は、撮像素子１６の出力に対してアナログ信号処理を施すアナログフロントエンド回路である。この信号処理部１７では、相関二重サンプリングや、画像信号のゲインの調整や、画像信号のＡ／Ｄ変換が行われる。なお、信号処理部１７から出力されたデジタルの画像信号はＣＰＵ１９に入力される。
【００１８】
撮像制御部１８は、ＣＰＵ１９の指示に基づいて、撮像素子１６および信号処理部１７に対して制御パルスを供給する。なお、撮像素子１６の電荷蓄積時間や信号読みだしのタイミングは、撮像制御部１８の制御パルスによって調整されることとなる。
【００１９】
ＣＰＵ１９は、シーケンスプログラムに従って電子カメラ１の撮影動作や再生動作を統括的に制御するプロセッサである。一例として、ＣＰＵ１９は、上記のスルー画像のデータを用いて、撮影時のオートフォーカス（ＡＦ）演算、自動露出（ＡＥ）演算、オートホワイトバランス（ＡＷＢ）演算をそれぞれ公知のアルゴリズムで実行する。
【００２０】
また、ＣＰＵ１９は、各種の画像処理を行う画像処理部２７を有している。画像処理部２７は、撮像素子１６によって撮像された画像のデータに対して、色補間処理、階調変換処理、輪郭強調処理、ホワイトバランス調整などの画像処理を実行する。また、画像処理部２７は、画像の解像度変換（画素数変換）や画像のトリミング処理を実行する。
【００２１】
第１メモリ２０は、揮発性の記憶媒体（例えばＳＤＲＡＭなど）で構成される。この第１メモリ２０は、ＣＰＵ１９による画像処理の前工程や後工程で画像のデータなどを一時的に記憶する。
【００２２】
第２メモリ２１は、フラッシュメモリ等の不揮発性の記憶媒体で構成される。この第２メモリ２１には、各々の動作モードに対応するシーケンスプログラムなどが記憶される。なお、撮影モードおよび再生モードでの動作例については後述する。
【００２３】
表示制御部２２は、ＣＰＵ１９の指示に応じて、各種の表示用画像をモニタ２３に表示させるとともに、モニタ２３の点灯および消灯の制御を行う。これにより、上記のスルー画像による動画表示や、電子ぺーパー付記憶媒体２に記憶されている画像の再生表示がモニタ２３で行われる。なお、一の実施形態でのモニタ２３は、例えば、液晶表示パネルで構成される。
【００２４】
記録Ｉ／Ｆ２４は、電子ぺーパー付記憶媒体２が着脱可能に接続される機器側端子２８を有している。そして、記録Ｉ／Ｆ２４は、機器側端子２８を介して接続された電子ぺーパー付記憶媒体２に対して、データの書き込み／読み込みと電力の供給とを行う。
【００２５】
操作部２５は、ユーザーからの操作を受け付ける複数のスイッチを有している。具体的には、一の実施形態の操作部２５には、レリーズ釦、ズーム釦、十字キー、決定釦、再生釦、削除釦が含まれる。
【００２６】
レリーズ釦は、半押し操作による撮影前のＡＦ動作開始の指示入力と、全押し操作による撮像動作開始の指示入力とをユーザーから受け付ける。また、ズーム釦は、ズームレンズ１１ａの移動による光学的なズーム操作や、画像の解像度変更による電子的なズーム操作をユーザーから受け付ける。また、十字キーおよび決定釦は、例えば、電子カメラ１の設定変更の操作や、トリミングのときに画像を切り出す位置の指定操作をユーザーから受け付ける。また、再生釦は、撮像した画像の再生表示を行う再生モードへの移行操作をユーザーから受け付ける。また、削除釦は、上記の再生モードにおいて、表示中の再生画像に対応する画像のデータを消去する操作をユーザーから受け付ける。
【００２７】
閃光発光部２６は、ＣＰＵ１９の指示に応じて撮影時に被写体へ閃光を照射する。例えば、閃光発光部２６は、キセノン発光管、メインコンデンサ、発光制御回路などで構成される。
【００２８】
次に、図２を参照しつつ、一の実施形態における電子ぺーパー付記憶媒体２の構成例を説明する。電子ぺーパー付記憶媒体２は、媒体側端子４１と、メモリコントローラ４２と、メインメモリ４３と、ディスプレイコントローラ４４と、補助メモリ４５と、電子ペーパー４６とを有している。
【００２９】
媒体側端子４１は、電子カメラ１の機器側端子２８と着脱可能に接続される。媒体側端子４１は、電子カメラ１とのデータの送受と、電子カメラ１から電子ぺーパー付記憶媒体２への電力供給とに用いられる。
【００３０】
メモリコントローラ４２は、媒体側端子４１、メインメモリ４３、ディスプレイコントローラ４４とそれぞれ接続されている。このメモリコントローラ４２は、メインメモリ４３へのデータの書き込み／読み込みを直接的に制御する。また、メモリコントローラ４２は、ディスプレイコントローラ４４を介して、補助メモリ４５および電子ペーパー４６の動作を間接的に制御する。
【００３１】
メインメモリ４３は、フラッシュメモリなどの不揮発性メモリで構成される。このメインメモリ４３には、電子カメラ１で撮影された撮像画像（静止画像または動画像）のデータが所定のファイル形式で記憶される。
【００３２】
なお、記憶媒体の識別のためにユーザーが代表画像を指定したときには、代表画像となった画像のデータには、代表画像であることを示す代表画像識別データが電子カメラ１によって付与される。例えば、撮像画像のデータがＥｘｉｆ（Exchangeable image file format for digital still cameras）規格に準拠した画像ファイルである場合には、ヘッダ領域のメーカーノートのタグを利用して上記の代表画像識別データが記録される。
【００３３】
ディスプレイコントローラ４４は、補助メモリ４５および電子ペーパー４６にそれぞれ接続されている。このディスプレイコントローラ４４は、補助メモリ４５へのデータのデータの書き込み／読み込みや、電子ペーパー４６の表示制御をそれぞれ実行する。
【００３４】
補助メモリ４５は、フラッシュメモリなどの不揮発性メモリで構成される。この補助メモリ４５には、電子ペーパー４６での表示に用いる各種のデータが記憶される。
【００３５】
図３に、補助メモリ４５の記憶領域の一例を示す。例えば、補助メモリ４５には、識別画像のデータが記憶される。ここで、一の実施形態での識別画像は、記憶媒体の識別のために電子ペーパー４６で表示される画像である。一例として、識別画像は、メインメモリ４３に記憶されている撮像画像と一対一で対応したＱＱＶＧＡサイズ（あるいはＱＶＧＡサイズ）の縮小画像で構成されている。また、一の実施形態において上述の代表画像が指定されている場合、識別画像は上述の代表画像に対応する縮小画像で構成される。なお、代表画像が指定されていない場合、識別画像は、撮像画像のうちで最後に撮像された画像に対応する縮小画像で構成される。
【００３６】
また、補助メモリ４５には、上記の代表画像に関する履歴データも記憶される。一の実施形態での履歴データは、代表画像として指定された撮像画像のファイル名を記録したテキストデータで構成される。また、代表画像が変更された場合には、現在の代表画像のファイル名を先頭として変更前の代表画像のファイル名が履歴データに順次記録される。勿論、代表画像が複数回変更されたときには、過去の代表画像のファイル名がいずれも履歴データに残される。
【００３７】
一例として、ファイル名「Ａ」、「Ｂ」、「Ｃ」の撮像画像のデータが順に代表画像に指定された場合には、ＣＰＵ１９が、代表画像として新しい順に画像のデータのファイル名を記録して履歴データを生成する（「Ｃ」、「Ｂ」、「Ａ」の順）。これにより、電子カメラ１は履歴データを参照することで、代表画像の設定の有無と、過去の代表画像のファイル名とを確認することができる。
【００３８】
また、一の実施形態において代表画像の変更があった場合、過去の代表画像に対応する縮小画像のデータは補助メモリ４５にいずれも保存される。これらの過去の代表画像に対応する縮小画像は、後述の削除チェック処理において現在の代表画像が削除された場合に識別画像として使用されうる。
【００３９】
一例として、上記のようにファイル名「Ａ」、「Ｂ」、「Ｃ」の撮像画像が代表画像に順に指定された場合、補助メモリ４５には、「Ａ」、「Ｂ」、「Ｃ」に対応する縮小画像がいずれも記憶されることとなる。
【００４０】
なお、補助メモリ４５の各々の縮小画像には、元の撮像画像との対応を示すファイル名がＣＰＵ１９によって付されている。そのため、ＣＰＵ１９は、縮小画像のファイル名を参照することで、補助メモリ４５の縮小画像が過去の代表画像のいずれに対応するかを判断できる。
【００４１】
電子ペーパー４６は、電気的に表示の書き換えが可能であるとともに、電源オフ時にも不揮発性の表示が可能な薄板状の表示デバイスである。なお、一の実施形態の電子ペーパー４６には、例えば、コレステリック液晶を用いた液晶式の電子ペーパーや、マイクロカプセルを用いた電子ペーパーなどの公知の構成のものを用いることができる。
【００４２】
この電子ペーパー４６の表示面は記憶媒体２の外側から視認可能に配置されている。そして、電子ペーパー４６の表示面には上記の識別画像が表示される（図４参照）。これにより、電子ペーパー付記憶媒体２の外面には電子ペーパー４６によって識別画像が不揮発的に表示されるので、ユーザーが記憶媒体を識別することが容易となる。
【００４３】
＜撮影モードの動作説明＞
以下、図５の流れ図を参照しつつ、一の実施形態における電子カメラ１の撮影モードでの動作例を説明する。一の実施形態での撮影モードには、静止画の撮影を行う「静止画撮影モード」と、動画像の撮影を行う「動画撮影モード」との２つのサブモードが含まれる。なお、「静止画撮影モード」と「動画撮影モード」との切り替えは、操作部２５からの操作に応じてＣＰＵ１９が行う。
【００４４】
また、撮影モードでの一連の処理は、電子カメラ１の電源オンの操作をトリガとして開始される。なお、撮影モードにおける電子カメラ１の動作は、ＣＰＵ１９の実行するプログラムによって制御される。
【００４５】
（ステップＳ１０１）
ＣＰＵ１９は、電源の投入に応じて、電子カメラ１のシステムの初期化を行う。このとき、ＣＰＵ１９は、レンズユニット１１を撮影可能な位置に繰り出すとともに、ズームレンズ１１ａおよびフォーカシングレンズ１１ｂのレンズ位置を初期位置に移動させて、レンズの初期化を行う。
【００４６】
（ステップＳ１０２）
ＣＰＵ１９は、撮像素子１６を駆動させてスルー画像の撮像を開始する。その後、スルー画像は所定間隔ごとに逐次生成されることとなる。
【００４７】
（ステップＳ１０３）
ＣＰＵ１９は、モニタ２３を点灯させるとともに、スルー画像に基づく撮影画面の動画表示を開始する。したがって、ユーザーは、撮影モードのときにモニタ２３の画像を参照しつつ、撮影構図を決定するためのフレーミングや、ズーム釦の操作によるズーミングを行うことができる。
【００４８】
（ステップＳ１０４）
ＣＰＵ１９は、操作部２５の状態を読み出して、電子カメラ１の動作モードが撮影モードに設定されているか否かを判定する。一例として、ＣＰＵ１９は、再生釦の押圧操作を受け付けたときには再生モードを立ち上げるため、Ｓ１０４においてＮＯ側の判定を行う。上記要件を満たす場合（ＹＥＳ側）にはＳ１０６に移行する。一方、上記要件を満たさない場合（ＮＯ側）にはＳ１０５に移行する。
【００４９】
（ステップＳ１０５）
ＣＰＵ１９は、撮像素子１６の駆動を停止させてスルー画像の撮像を終了する。これにより、モニタ２３での撮影画面の動画表示も中断することとなる。その後、ＣＰＵ１９は、後述する再生モードのＳ３０１の処理を開始する。
【００５０】
（ステップＳ１０６）
ＣＰＵ１９は、スルー画像のデータを用いて、ＡＦ演算、ＡＥ演算、ＡＷＢ演算をそれぞれ実行する。なお、Ｓ１０６でのＡＦ演算、ＡＥ演算、ＡＷＢ演算は、撮影モードにおいてレリーズ釦が半押しされるまでの間、周期的に行われることとなる。
【００５１】
（ステップＳ１０７）
ＣＰＵ１９は、レリーズ釦が半押しされたか否かを判定する。レリーズ釦が半押しされた場合（ＹＥＳ側）にはＳ１１０に移行する。一方、レリーズ釦が半押しされていない場合（ＮＯ側）にはＳ１０８に移行する。
【００５２】
（ステップＳ１０８）
ＣＰＵ１９は、電源オフの操作を受け付けたか否かを判定する。上記要件を満たす場合（ＹＥＳ側）にはＳ１０９に移行する。一方、上記要件を満たさない場合（ＮＯ側）には、ＣＰＵ１９はＳ１０４に戻って上記動作を繰り返す。
【００５３】
（ステップＳ１０９）
ＣＰＵ１９は、レンズユニット１１を収納状態に戻すとともに、電子カメラ１の各部への電力供給を遮断して一連の処理を終了する。
【００５４】
（ステップＳ１１０）
ＣＰＵ１９は、レリーズ釦の半押しに応じて、ＡＦ演算、ＡＥ演算、ＡＷＢ演算をそれぞれ実行する。その後、ＣＰＵ１９は、記録用の画像の撮像が行われるか、あるいはレリーズ釦の半押し操作が解除されるまで、ＡＦ演算、ＡＥ演算、ＡＷＢ演算を停止して撮影条件のパラメータを固定する。
【００５５】
（ステップＳ１１１）
ＣＰＵ１９は、レリーズ釦が全押しされたか否かを判定する。レリーズ釦が全押しされた場合（ＹＥＳ側）にはＳ１１３に移行する。一方、レリーズ釦が全押しされていない場合（ＮＯ側）には、ＣＰＵ１９はＳ１１２に移行する。
【００５６】
（ステップＳ１１２）
ＣＰＵ１９は、レリーズ釦の半押しが解除されたか否かを判定する。レリーズ釦の半押しが解除された場合（ＹＥＳ側）には、ＣＰＵ１９はＳ１０４に戻って上記動作を繰り返す。一方、レリーズ釦の半押しが継続している場合（ＮＯ側）には、ＣＰＵ１９はＳ１１１に戻ってレリーズ釦の全押し操作を待機する。
【００５７】
（ステップＳ１１３）
ＣＰＵ１９は、現在のモードが「静止画撮影モード」か否かを判定する。「静止画撮影モード」の場合（ＹＥＳ側）にはＳ１１４に移行する。一方、「動画撮影モード」の場合（ＮＯ側）にはＳ１１５に移行する。
【００５８】
（ステップＳ１１４）
ＣＰＵ１９は、撮像素子１６を駆動させて記録用の静止画像の撮像を実行する。この記録用の静止画像の撮像は、Ｓ１１０で設定された撮影条件のパラメータに基づいて行われる。また、記録用の静止画像のデータは、信号処理部１７および画像処理部２７で所定の処理が施された後に、記録Ｉ／Ｆ２４を介して電子ぺーパー付記憶媒体２のメインメモリ４３に記録される。そして、ＣＰＵ１９は、記録用の静止画像の撮像処理が終了した後に、スルー画像の取得動作を再開させる。なお、Ｓ１１４の処理が終了すると、ＣＰＵ１９はＳ１１８に処理を移行する。
【００５９】
（ステップＳ１１５）
ＣＰＵ１９は、撮像素子１６を駆動させて記録用の動画像の撮像を開始する。この記録用の動画像の撮像は、Ｓ１１０で設定された撮影条件のパラメータに基づいて行われる。また、一の実施形態の例では、動画像の画像サイズはＶＧＡサイズに設定されるものとする。
【００６０】
そして、記録用の動画像の各フレームのデータは、信号処理部１７および画像処理部２７で所定の処理が施された後に、例えば第１メモリ２０や電子ぺーパー付記憶媒体２のメインメモリ４３などにバッファリングされる。
【００６１】
（ステップＳ１１６）
ＣＰＵ１９は、動画像の撮影終了指示があるか否かを判定する。例えば、ＣＰＵ１９は、レリーズ釦の全押しが解除されたときに、動画像の撮影終了指示があったものと判定する。上記要件を満たす場合（ＹＥＳ側）にはＳ１１７に移行する。一方、上記要件を満たさない場合（ＮＯ側）には、ＣＰＵ１９は動画像の撮像を継続する。
【００６２】
（ステップＳ１１７）
画像処理部２７は、ＣＰＵ１９の指示に応じて、記録用の動画像のデータを所定のファイル形式で生成する。そして、ＣＰＵ１９は、記録Ｉ／Ｆ２４を介して電子ぺーパー付記憶媒体２のメインメモリ４３に、記録用の動画像のデータを記録する。なお、ＣＰＵ１９は、動画像のデータの記録が終了した後に、スルー画像の取得動作を再開させる。
【００６３】
（ステップＳ１１８）
ＣＰＵ１９は、電子ぺーパー付記憶媒体２の情報更新処理を実行する。以下、図６を参照しつつ、情報更新処理のサブルーチンを説明する。
【００６４】
ステップＳ２０１：ＣＰＵ１９は、現在接続されている電子ぺーパー付記憶媒体２に、ユーザーの指定した代表画像が設定されているか否かを判定する。具体的には、Ｓ２０１でのＣＰＵ１９は、補助メモリ４５から履歴データを探索する。そして、ＣＰＵ１９は、補助メモリ４５に履歴データが存在しない場合には、電子ぺーパー付記憶媒体２に代表画像が存在しないものと判定する。
【００６５】
そして、代表画像が設定されている場合（ＹＥＳ側）には、ＣＰＵ１９は図５の流れ図の処理に復帰する。なお、この場合（Ｓ２０１のＹＥＳ側）には、ＣＰＵ１９は、電子ぺーパーユニット４６に表示されている識別画像を更新しない。一方、代表画像が設定されていない場合（ＮＯ側）にはＳ２０２に移行する。
【００６６】
ステップＳ２０２：画像処理部２７は、ＣＰＵ１９の指示に応じて、今回撮像した記録用の画像を所定の画像サイズ（例えばＱＱＶＧＡサイズまたはＱＶＧＡサイズ）に縮小する解像度変換処理を行う。
【００６７】
ここで、静止画撮影モードのときには、Ｓ２０２での画像処理部２７は記録用の静止画像から縮小画像を生成する。また、動画撮影モードのときには、Ｓ２０２での画像処理部２７は、記録用の動画像のうち、最初のフレームから縮小画像を生成する。
【００６８】
ステップＳ２０３：ＣＰＵ１９は、Ｓ２０２で生成された縮小画像のデータを、補助メモリ４５に設定されている識別画像の記憶領域に上書き記録する。これにより、電子ぺーパー付記憶媒体２において代表画像が設定されていないときには、メインメモリ４３に記憶されている撮像画像のうちで最後に撮像された画像に対応した縮小画像が、補助メモリ４５に識別画像として１フレーム分だけ記憶されることとなる。なお、ＣＰＵ１９は、Ｅｘｉｆ規格に準拠したサムネイル画像（１６０×１２０画素）を識別画像として上書き記録してもよい。
【００６９】
ステップＳ２０４：ＣＰＵ１９は、ディスプレイコントローラ４４を介して、電子ペーパー４６に表示する識別画像を、最後に撮像された画像に対応した縮小画像（Ｓ２０２で生成された縮小画像）に切り換える。その後、ＣＰＵ１９は、情報更新処理のサブルーチンから図５の流れ図の処理に復帰する。
【００７０】
そして、ＣＰＵ１９は、Ｓ１１８の処理後にＳ１０４に戻って上記動作を繰り返す。以上で、図５の流れ図の説明を終了する。
【００７１】
一の実施形態の電子カメラ１は、代表画像が設定されていない場合には、最後に撮影された画像に対応する縮小画像のみを識別画像として電子ペーパー４６に表示させる。一方、一の実施形態の電子カメラ１は、代表画像が設定されている場合には、撮影ごとに識別画像の更新を行わずに、代表画像に対応する識別画像を電子ペーパー４６にそのまま表示させる。
【００７２】
よって、一の実施形態においては、記憶媒体２の電子ペーパー４６には識別性がより高いと考えられる識別画像が表示される。電子ペーパー４６による識別画像の表示は、記憶媒体２を電子カメラ１から取り外した後もそのまま維持されるので、一の実施形態によれば、ユーザーの手間を増やすことなく記憶媒体２の識別性を高めることが可能となる。
【００７３】
＜再生モードの動作説明＞
以下、図７、図８の流れ図を参照しつつ、一の実施形態における電子カメラ１の再生モードでの動作例を説明する。また、再生モードでの一連の処理は、図５の流れ図におけるＳ１０５の処理後に開始される。なお、再生モードにおける電子カメラ１の動作は、ＣＰＵ１９の実行するプログラムによって制御される。
【００７４】
（ステップＳ３０１）
ＣＰＵ１９は、記録Ｉ／Ｆ２４から再生対象の画像のデータの読み込みを行う。具体的には、Ｓ３０１でのＣＰＵ１９は、電子ぺーパー付記憶媒体２のメインメモリ４３から最後に撮像された画像のデータを再生対象として読み込む。
【００７５】
（ステップＳ３０２）
ＣＰＵ１９は、現在の再生対象が静止画像のデータか否かを判定する。再生対象が静止画像のデータの場合（ＹＥＳ側）にはＳ３０３に移行する。一方、再生対象が動画像のデータの場合（ＮＯ側）にはＳ３０８に移行する。
【００７６】
（ステップＳ３０３）
ＣＰＵ１９は、現在の再生対象の静止画像をモニタ２３に再生表示する。
【００７７】
（ステップＳ３０４）
ＣＰＵ１９は、静止画像のデータの削除指示（削除釦の押圧）があったか否かを判定する。上記要件を満たす場合（ＹＥＳ側）にはＳ３０５に移行する。一方、上記要件を満たさない場合（ＮＯ側）にはＳ３１８に移行する。
【００７８】
（ステップＳ３０５）
ＣＰＵ１９は、削除しようとする静止画像が代表画像であるか否かを確認する削除チェック処理を行う。以下、図９を参照しつつ、削除チェック処理のサブルーチンを説明する。
【００７９】
ステップＳ４０１：ＣＰＵ１９は、削除しようとする画像が、代表画像であるか否かを判定する。一例として、Ｓ４０１でのＣＰＵ１９は、削除しようとする撮像画像のデータのヘッダ領域を参照し、代表画像識別データがある場合には代表画像であると判定する。
【００８０】
上記要件を満たす場合（ＹＥＳ側）にはＳ４０２に移行する。一方、上記要件を満たさない場合（ＮＯ側）にはＳ４０９に移行する。
【００８１】
ステップＳ４０２：ＣＰＵ１９は、削除しようとする画像が代表画像である旨をユーザーに対して警告する。一例として、Ｓ４０２でのＣＰＵ１９は、モニタ２３上に「代表画像です。削除してもよろしいですか？  ＹＥＳ／ＮＯ」などの文字表示を行ない、ユーザーに対して代表画像の削除確認入力を要求する。このとき、ＣＰＵ１９は、スピーカー（不図示）から警告音を出力してもよい。
【００８２】
ステップＳ４０３：ＣＰＵ１９は、代表画像の削除確認入力（Ｓ４０２）があったか否かを判定する。代表画像の削除確認入力があった場合（ＹＥＳ側）にはＳ４０４に移行する。一方、代表画像の削除がキャンセルされた場合（ＮＯ側）には、ＣＰＵ１９は削除チェック処理のサブルーチンを終了するとともに、図７、図８の流れ図におけるＳ３１８の処理に復帰する。
【００８３】
ステップＳ４０４：ＣＰＵ１９は、電子ぺーパー付記憶媒体２の補助メモリ４５に記憶されている履歴データを参照する。そして、ＣＰＵ１９は、メインメモリ４３に残されている過去の代表画像のうちで、代表画像として最も新しい画像を検出する。
【００８４】
具体的には、ＣＰＵ１９は、履歴データに基づいて、今回削除される代表画像よりも１つ前に代表画像であった画像をメインメモリ４３から検索する。上記の画像を検出できた場合には、ＣＰＵ１９はＳ４０５に処理を移行する。一方、上記の画像がメインメモリ４３から削除されている場合には、ＣＰＵ１９は、今回削除される代表画像よりも２つ前に代表画像であった画像を検索する。以後、同様の手順によって、ＣＰＵ１９は、履歴データ上でのファイル名の並び順にしたがって過去の代表画像を順次検索する。
【００８５】
ステップＳ４０５：ＣＰＵ１９は、Ｓ４０４において過去の代表画像が検出できたか否かを判定する。上記要件を満たす場合（ＹＥＳ側）にはＳ４０６に移行する。一方、上記要件を満たさない場合（ＮＯ側）にはＳ４０９に移行する。
【００８６】
ステップＳ４０６：ＣＰＵ１９は、過去の代表画像のうちで、代表画像として最も新しい画像（Ｓ４０４で検出された画像）を再び代表画像に設定する。これにより、過去の代表画像がメインメモリ４３に存在するときには、代表画像が削除されると、過去の代表画像が識別画像として選択されることとなる。
【００８７】
ステップＳ４０７：ＣＰＵ１９は、ディスプレイコントローラ４４を介して、電子ペーパー４６に表示する識別画像を、新たな代表画像（Ｓ４０６）に対応する縮小画像に切り換える。なお、新たな代表画像に対応する縮小画像は補助メモリ４５に記憶されているため、ＣＰＵ１９は電子ペーパー４６の画像表示を迅速に変更することができる。
【００８８】
ステップＳ４０８：ＣＰＵ１９は、履歴データの編集を行うとともに、削除された代表画像に対応する縮小画像のデータを補助メモリ４５から消去する。その後、ＣＰＵ１９は、削除チェック処理のサブルーチンから、図７、図８の流れ図の処理に復帰する。
【００８９】
ステップＳ４０９：画像処理部２７は、ＣＰＵ１９の指示に応じて、撮像画像のうちで最後に撮像された画像に対応する縮小画像を生成する。そして、ＣＰＵ１９は、上記の縮小画像のデータを補助メモリ４５に記録するとともに、最後に撮像された画像に対応する縮小画像を識別画像として電子ペーパー４６に表示させる。なお、この場合には代表画像が存在しないため、ＣＰＵ１９は、履歴データと、識別画像以外の縮小画像のデータとを補助メモリ４５から削除する。
【００９０】
これにより、過去の代表画像がメインメモリ４３に存在しないときには、代表画像が削除されると、最後に撮像された画像が識別画像として選択されることとなる。その後、ＣＰＵ１９は、削除チェック処理のサブルーチンから、図７、図８の流れ図の処理に復帰する。
【００９１】
（ステップＳ３０６）
ＣＰＵ１９は、現在再生されている画像のデータを、電子ぺーパー付記憶媒体２のメインメモリ４３から削除する。
【００９２】
（ステップＳ３０７）
ＣＰＵ１９は、メインメモリ４３に記憶されている撮像画像のうち、Ｓ３０６で削除した画像よりも撮影順が１つ前の画像を再生対象に設定する。そして、ＣＰＵ１９は、記録Ｉ／Ｆ２４から新たな再生対象の画像のデータを読み込む。その後、ＣＰＵ１９はＳ３２０に処理を移行する。
【００９３】
（ステップＳ３０８）
ＣＰＵ１９は、現在の再生対象である動画像の先頭フレームをモニタ２３に表示する。
【００９４】
（ステップＳ３０９）
ＣＰＵ１９は、現在の再生対象である動画像の再生開始指示があったか否かを判定する。上記要件を満たす場合（ＹＥＳ側）にはＳ３１０に移行する。一方、上記要件を満たさない場合（ＮＯ側）にはＳ３１４に移行する。
【００９５】
（ステップＳ３１０）
ＣＰＵ１９は、動画像の再生開始指示（Ｓ３０９）に応じて、モニタ２３に動画像を再生表示させる。
【００９６】
（ステップＳ３１１）
ＣＰＵ１９は、動画像の再生中に再生停止操作があったか否かを判定する。上記要件を満たす場合（ＹＥＳ側）にはＳ３１２に移行する。一方、上記要件を満たさない場合（ＮＯ側）にはＳ３１３に移行する。
【００９７】
（ステップＳ３１２）
ＣＰＵ１９は、動画像の再生を停止するとともに、Ｓ３１４に処理を移行する。
【００９８】
（ステップＳ３１３）
ＣＰＵ１９は、再生対象の動画像の全フレームを再生し終えたか否かを判定する。動画像の再生がすべて終了した場合（ＹＥＳ側）にはＳ３１４に移行する。一方、動画像の再生が終了していない場合（ＮＯ側）には、ＣＰＵ１９はＳ３１１に戻って上記動作を繰り返す。
【００９９】
（ステップＳ３１４）
ＣＰＵ１９は、動画像のデータの削除指示（削除釦の押圧）があったか否かを判定する。上記要件を満たす場合（ＹＥＳ側）にはＳ３１５に移行する。一方、上記要件を満たさない場合（ＮＯ側）にはＳ３１８に移行する。
【０１００】
（ステップＳ３１５）
ＣＰＵ１９は、削除しようとする動画像の先頭フレームが代表画像であるか否かを確認する削除チェック処理を行う。なお、Ｓ３１５での削除チェック処理は、Ｓ３０５の場合と同様であるため重複説明は省略する。
【０１０１】
（ステップＳ３１６）
ＣＰＵ１９は、現在再生対象となっている動画像のデータを、電子ぺーパー付記憶媒体２のメインメモリ４３から削除する。
【０１０２】
（ステップＳ３１７）
ＣＰＵ１９は、メインメモリ４３に記憶されている撮像画像のうち、Ｓ３０６で削除した動画像よりも撮影順が１つ前の画像を再生対象に設定する。そして、ＣＰＵ１９は、記録Ｉ／Ｆ２４から新たな再生対象の画像のデータを読み込む。その後、ＣＰＵ１９はＳ３２０に処理を移行する。
【０１０３】
（ステップＳ３１８）
ＣＰＵ１９は、静止画像または動画像の削除が行われない場合において、再生対象の画像の変更操作があったか否かを判定する。再生対象の画像の変更操作があった場合（ＹＥＳ側）にはＳ３１９に移行する。一方、再生対象の画像の変更操作がない場合（ＮＯ側）にはＳ３２０に移行する。
【０１０４】
（ステップＳ３１９）
ＣＰＵ１９は、メインメモリ４３に記憶されている撮像画像のうち、Ｓ３１８の変更操作で指定された画像を新たな再生対象に設定する。そして、ＣＰＵ１９は、記録Ｉ／Ｆ２４から新たな再生対象の画像のデータを読み込む。
【０１０５】
（ステップＳ３２０）
ＣＰＵ１９は、新たな再生対象の画像を対象として、代表画像の指定処理を行う。以下、図１０を参照しつつ、代表画像の指定処理のサブルーチンを説明する。なお、図１０の例では、簡単のため静止画像のデータが新たな再生対象となることを前提として説明を行うが、動画像のデータの場合についてもほぼ同様の処理が行われることはいうまでもない。
【０１０６】
ステップＳ５０１：ＣＰＵ１９は、現在の再生対象の画像が代表画像であるか否かを判定する。一例として、Ｓ５０１でのＣＰＵ１９は、撮像画像のデータのヘッダ領域を参照し、代表画像識別データがある場合には代表画像であると判定する。
【０１０７】
上記要件を満たす場合（ＹＥＳ側）にはＳ５０２に移行する。一方、上記要件を満たさない場合（ＮＯ側）にはＳ５０３に移行する。
【０１０８】
ステップＳ５０２：ＣＰＵ１９は、モニタ２３に代表画像を再生表示する。このとき、ＣＰＵ１９は、再生中の画像が代表画像であることを示すマーク（例えば「代表画像」の文字表示など）をモニタ２３の再生画像に重畳させる（図１１参照）。これにより、ユーザーは、モニタ２３に再生されている画像が代表画像であることを容易に認識できる。その後、ＣＰＵ１９は代表画像の指定処理のサブルーチンから、図７、図８の流れ図の処理に復帰する。
【０１０９】
ステップＳ５０３：ＣＰＵ１９は、現在の再生対象の画像を代表画像に指定する操作を受け付けたか否かを判定する。上記要件を満たす場合（ＹＥＳ側）にはＳ５０４に移行する。一方、上記要件を満たさない場合（ＮＯ側）には、ＣＰＵ１９は代表画像の指定処理のサブルーチンから、図７、図８の流れ図の処理に復帰する。
【０１１０】
ステップＳ５０４：画像処理部２７は、ＣＰＵ１９の指示に応じて、Ｓ５０３で新たに指定された代表画像から縮小画像を生成する。このとき、ＣＰＵ１９は、ユーザーから画像のトリミング指示を受け付けたか否かを判定する。上記要件を満たす場合（ＹＥＳ側）にはＳ５０５に移行する。一方、上記要件を満たさない場合（ＮＯ側）にはＳ５０６に移行する。
【０１１１】
ステップＳ５０５：画像処理部２７は、トリミングによって代表画像の部分領域から縮小画像を生成する。その後、ＣＰＵ１９はＳ５０７に処理を移行する。なお、Ｓ５０５でのトリミングは、縮小画像の生成範囲を決定するためのものであり、メインメモリ４３に記憶されている画像のデータはそのままの状態で保持される。
【０１１２】
一例として、画像処理部２７は、モニタ２３に代表画像とともにトリミングの範囲および位置を示す枠を重畳表示して、画像のトリミングの範囲および位置をユーザーに指定させる。このとき、画像処理部２７は、ユーザーのズーム釦の操作に応じて上記の枠表示の範囲を変更する（図１２（ａ）参照）。また、画像処理部２７は、ユーザーの十字キーの操作に応じて上記の枠表示の位置を変更する（図１２（ｂ）参照）。そして、画像処理部２７は、決定釦の押圧によりトリミングの範囲および位置を確定する。その後、画像処理部２７は、トリミング後の代表画像から縮小画像を生成する。これにより、ユーザーが識別画像をカスタマイズすることができ、電子ぺーパー付記憶媒体２における識別画像での識別性を一層向上させることができる。
【０１１３】
また、他の例として、画像処理部２７は、代表画像に対して公知の顔検出処理を行い、人物の顔の位置を基準としてトリミングの範囲および位置を自動的に決定してもよい。例えば、画像処理部２７は、代表画像に含まれる人物の顔が中央で一定の大きさとなるようにトリミングを行う。この場合には、ユーザーが人物をより認識しやすい識別画像を生成できる。
【０１１４】
ステップＳ５０６：この場合には、画像処理部２７は、ＣＰＵ１９の指示に応じて、Ｓ５０３で新たに指定された代表画像をそのまま縮小して縮小画像を生成する。
【０１１５】
ステップＳ５０７：ＣＰＵ１９は、Ｓ５０５またはＳ５０６で生成された縮小画像のデータを、識別画像として補助メモリ４５に記録する。
【０１１６】
ステップＳ５０８：ＣＰＵ１９は、ディスプレイコントローラ４４を介して、電子ペーパー４６に表示する識別画像を、新たな代表画像に対応する縮小画像（Ｓ５０５またはＳ５０６で生成された縮小画像）に切り換える。
【０１１７】
ステップＳ５０９：ＣＰＵ１９は、新たな代表画像のデータに代表画像識別データを対応付けする。また、ＣＰＵ１９は、過去の代表画像のデータに対応付けされている代表画像識別データを削除するとともに、履歴データの更新を行う。その後、ＣＰＵ１９は代表画像の指定処理のサブルーチンから、図７、図８の流れ図の処理に復帰する。
【０１１８】
（ステップＳ３２１）
ＣＰＵ１９は、再生モードの終了操作を受け付けたか否かを判定する。再生モードの終了操作があった場合（ＹＥＳ側）にはＳ３２２に移行する。一方、再生モードの終了操作がない場合（ＮＯ側）にはＳ３２３に移行する。
【０１１９】
（ステップＳ３２２）
ＣＰＵ１９は、電子ペーパー付記録媒体２に記憶されている画像の再生表示を終了するとともに、撮像素子１６を再び駆動させてスルー画像の撮像を開始する。その後、ＣＰＵ１９は動作モードを撮影モードに変更し、図５の流れ図におけるＳ１０４の処理に移行する。
【０１２０】
（ステップＳ３２３）
ＣＰＵ１９は、電源オフの操作を受け付けたか否かを判定する。上記要件を満たす場合（ＹＥＳ側）にはＳ３２４に移行する。一方、上記要件を満たさない場合（ＮＯ側）には、ＣＰＵ１９はＳ３０２に戻って上記動作を繰り返す。
【０１２１】
（ステップＳ３２４）
ＣＰＵ１９は、レンズユニット１１を収納状態に戻すとともに、電子カメラ１の各部への電力供給を遮断して一連の処理を終了する。以上で、図７、図８の流れ図の説明を終了する。
【０１２２】
一の実施形態では、代表画像のデータに代表画像識別データを対応付けて記録することで、代表画像の削除や代表画像の再生表示のときの利便性が向上し、電子ペーパー付記録媒体での画像の管理を効率的に行うことが可能となる。
【０１２３】
＜実施形態の補足事項＞
（１）上記実施形態において、電子ペーパー付記憶媒体２のメインメモリ４３および補助メモリ４５を１つのメモリとして構成してもよい。また、上記実施形態において、メインメモリ４３に履歴データを記録するようにしてもよい。
【０１２４】
（２）上記実施形態において、電子ペーパー付記憶媒体２の電子ペーパー４６には、メインメモリ４３に関する情報（メインメモリ４３の残記憶容量や最終更新日時など）を識別画像に重畳表示させてもよい。なお、メインメモリ４３に関する情報を電子ペーパーに表示する場合、ＣＰＵ１９はメインメモリ４３にデータが書き込みまたは削除されるたびに、電子ペーパー４６の情報表示を逐次更新すればよい。
【０１２５】
（３）上記実施形態では、代表画像のデータのヘッダに代表画像識別データを対応付けて記録する例を説明したが、代表画像識別データは代表画像のデータと別のファイルで構成するようにしてもよい。
【０１２６】
（４）上記実施形態では、識別画像が１つの撮像画像のみから生成される例を説明したが、識別画像の１フレームに複数の画像を含めるようにしてもよい。
【０１２７】
（５）上記実施形態および変形例の構成はあくまで一例にすぎない。そのため、本発明を実施するときには、上述の実施形態および変形例に示す構成やその処理の順序についてあらゆる組み合わせをとることができる。
【０１２８】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図する。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【図面の簡単な説明】
【０１２９】
【図１】一の実施形態の電子カメラシステムの構成例を示すブロック図
【図２】一の実施形態の電子ペーパー付記憶媒体の構成例を示すブロック図
【図３】補助メモリの記憶領域の一例を示す概要図
【図４】電子ペーパー付記憶媒体における識別画像の表示例を示す図
【図５】一の実施形態における電子カメラの撮影モードでの動作例を示す流れ図
【図６】情報更新処理のサブルーチンの動作例を示す流れ図
【図７】一の実施形態における電子カメラの再生モードでの動作例を示す流れ図
【図８】図７の続きの流れ図
【図９】削除チェック処理のサブルーチンの動作例を示す流れ図
【図１０】代表画像の指定処理のサブルーチンの動作例を示す流れ図
【図１１】代表画像の再生表示状態の一例を示す図
【図１２】（ａ）トリミングの範囲の指定を示す図、（ｂ）トリミングの位置の指定を示す図
【符号の説明】
【０１３０】
１…電子カメラ、２…電子ペーパー付記憶媒体、１６…撮像素子、１７…信号処理部、１８…撮像制御部、１９…ＣＰＵ、２２…表示制御部、２３…モニタ、２４…記録Ｉ／Ｆ、２５…操作部、２７…画像処理部、２８…機器側端子、４１…媒体側端子、４２…メモリコントローラ、４３…メインメモリ、４４…ディスプレイコントローラ、４５…補助メモリ、４６…電子ペーパー
【図１】
2010081560.tif 000003
【図２】
2010081560.tif 000004
【図３】
2010081560.tif 000005
【図４】
2010081560.tif 000006
【図５】
2010081560.tif 000007
【図６】
2010081560.tif 000008
【図７】
2010081560.tif 000009
【図８】
2010081560.tif 000010
【図９】
2010081560.tif 000011
【図１０】
2010081560.tif 000012
【図１１】
2010081560.tif 000013
【図１２】
2010081560.tif 000014